(57)【要約】      （修正有）【課題】構造が簡単で、電池を取り替え易い電池収容装置及びこれを用いた携帯式電子装置を提供する。【解決手段】電池収容装置は、電池２０を収納するための収容凹部が設けられている第一表面及び第一表面と対向する第二表面を有する機体と、機体の第二表面に取り付けられたヒンジ軸４１と、ヒンジ軸を介して機体に回転可能に取り付けられ、電池を支持するキャリア部４３１及びキャリア部に接続された操作部４３３を有し、操作部によりキャリア部が連動して電池を収容凹部から移出させるキャリアアセンブリと、を備える。【選択図】図４
2011034950.tif 000002
【特許請求の範囲】
【請求項１】
電池を収納するための収容凹部が設けられている第一表面及び該第一表面と対向する第二表面を有する機体と、
前記機体の第二表面に取り付けられたヒンジ軸と、
前記ヒンジ軸を介して前記機体に回転可能に取り付けられ、前記電池を支持するキャリア部及び該キャリア部に接続された操作部を有し、前記操作部により前記キャリア部が連動して、前記電池を前記収容凹部から移出させるキャリアアセンブリと、
を備えることを特徴とする電池収容装置。
【請求項２】
前記収容凹部は、前記キャリア部を収納するための開口部及び該開口部の両端に突設されている軸穴を有するヒンジ部を備え、前記キャリア部の末端には、軸穴を有する連結軸が設置され、前記ヒンジ軸を前記連結軸及び前記ヒンジ部の軸穴に挿入して、前記キャリア部を前記機体に装着することを特徴とする請求項１に記載の電池収容装置。
【請求項３】
前記機体の第二表面における前記開口部と相い隣り合う所には、突起部が設置され、前記突起部の一端が前記開口部に向けて延在して前記キャリア部に当接することを特徴とする請求項２に記載の電池収容装置。
【請求項４】
前記収容凹部は容置槽が開設されている第一端壁を有し、前記容置槽は、前記開口部に連通され、且つ前記操作部を収容することを特徴とする請求項２に記載の電池収容装置。
【請求項５】
前記機体の前記容置槽と隣接する所には、前記容置槽と連通される収容部が設置され、前記操作部の末端が折り曲げられて形成された作動部が、前記収容部内に収容されて設置され且つ前記収容部の底部から一定の距離が離れていることを特徴とする請求項４に記載の電池収容装置。
【請求項６】
電池を収容する収容凹部が設けられている第一表面及び該第一表面と対向する第二表面を有する機体と、
前記機体の第二表面に装着される回路基板と、
前記機体に取り付けられたヒンジ軸と、
前記ヒンジ軸を介して前記機体に回転可能に取り付けられ、前記電池を支持するキャリア部及び該キャリア部に接続された操作部を有し、前記操作部により前記キャリア部が連動して、前記電池を前記収容凹部から移出させるキャリアアセンブリと、
を備えることを特徴とする携帯式電子装置。
【請求項７】
前記収容凹部は、底壁と、前記底壁に直交し且つ互いに平行な第一端壁及び第二端壁を備え、前記底壁には、第一開口部が開設され、前記第二端壁には、前記第一開口部と連通される第二開口部が開設され、前記回路基板に設置された連結塊が前記第一開口部及び前記第二開口部を貫いて前記電池に電気接続することを特徴とする請求項６に記載の携帯式電子装置。
【発明の詳細な説明】
【技術分野】
【０００１】
本発明は、電池収容装置及びこれを用いた携帯式電子装置に関するものである。
【背景技術】
【０００２】
現在、広く用いられている携帯電話、携帯情報端末（ＰＤＡ）などの携帯式電子装置は、ほとんどリチウム電池を電源とする。携帯電子装置本体に設置された収容凹部に電池を収納してから、前記携帯電子装置本体に電池カバーを係合して、前記携帯電子装置に電気エネルギーを提供する。
しかし、前記携帯式電子装置は、体積が小さく、且つその電池が前記収容凹部に完全に収納されて、前記電池と前記収容凹部との隙間が小さいため、前記電池の電力がなくなって、新しい電池を取り換える場合、前記電池を前記収容凹部から手で直接に取り出し難く、ユーザーに大きな不便をもたらす。
【発明の概要】
【発明が解決しようとする課題】
【０００３】
以上の問題点に鑑みて、本発明は、構造が簡単で、電池を取り出し易い電池収容装置及びこれを用いた携帯式電子装置を提供することを目的とする。
【課題を解決するための手段】
【０００４】
前記問題を解決するために、本発明に係る電池収容装置は、電池を収容するための収容凹部が設けられている第一表面及び該第一表面と対向する第二表面を有する機体と、前記機体の第二表面に取り付けられたヒンジ軸と、前記ヒンジ軸を介して前記機体に回転可能に取り付けられ、前記電池を支持するキャリア部及び該キャリア部に接続された操作部を有し、前記操作部により前記キャリア部を連動して前記電池を前記収容凹部から移出させるキャリアアセンブリと、を備える。
【０００５】
また、本発明に係る携帯式電子装置は、電池が収容されている収容凹部が設けられている第一表面及び該第一表面と対向する第二表面を有する機体と、前記機体の第二表面に装着される回路基板と、前記機体に取り付けられたヒンジ軸と、前記ヒンジ軸を介して前記機体に回転可能に取り付けられ、前記電池を支持するキャリア部及び該キャリア部に接続された操作部を有し、前記操作部により前記キャリア部を連動して前記電池を前記収容凹部から移出させるキャリアアセンブリと、を備える。
【発明の効果】
【０００６】
本発明に係る携帯式電子装置の電池収容装置は、機体の電池収容凹部に前記機体に対して回転可能なキャリアアセンブリを設置することにより、前記キャリアアセンブリの回転によって、電池を前記収容凹部から便利に取り出すことができ、操作が簡単であって、前記電池収容装置の構造も簡単である。
【図面の簡単な説明】
【０００７】
【図１】本発明の実施形態に係る携帯式電子装置の電池収容装置の概略分解斜視図である。
【図２】図１に示す携帯式電子装置の電池収容装置の反対面の概略分解斜視図である。
【図３】図２に示す携帯式電子装置の電池収容装置のキャリアアセンブリの斜視図である。
【図４】本発明に係る携帯式電子装置の電池収容装置の電池が収容された状態を示す断面図である。
【発明を実施するための形態】
【０００８】
以下、図面を参照しながら、本発明の実施例に係る携帯式電子装置の電池収容装置の構造について詳細に説明する。
【０００９】
図１及び図２に示したように、本発明の実施例に係る携帯式電子装置２００は、電池収容装置１００と、電池２０と、回路基板３０とを備える。前記電池収容装置１００は、機体１０と、ヒンジ軸４１と、キャリアアセンブリ４３とを備える。前記回路基板３０が前記機体１０の１つの表面に装着され、前記電池２０が前記機体１０の中に載置され、前記ヒンジ軸４１と前記キャリアアセンブリ４３とが組み合わされて、前記機体１０から前記電池２０を取り出すことに用いられる。
【００１０】
前記機体１０は、本体或いはケースであることができ、ほぼ矩形のパレット状を呈する。前記機体１０は、対向する第一表面１１及び第二表面１９を有し、前記第一表面１１の一端が下へ陥落して、電池蓋（図示せず）と組み合わされる取付面１２を形成する。前記取付面１２の中部には、前記電池２０を収容するための収容凹部１３が設置されている。前記収容凹部１３は、底壁１３１と、前記底壁１３１に直交し且つ互いに平行な第一端壁１３２及び第二端壁１３３を備える。前記底壁１３１における前記第一端壁１３２の一端に近接する所には、前記底壁１３１の第一表面１１及び第二表面１９を貫通する矩形の開口部１３１１が開設されている。前記底壁１３１の前記開口部１３１１から離れている一端には、第一開口１３１７が開設されており、前記第二端壁１３３の前記底壁１３１に近接する一端には、第二開口１３３１が開設される。前記第二開口１３３１と前記第一開口１３１７は、互いに連通する。
【００１１】
前記第一端壁１３２の前記開口部１３１１に対応する位置に容置槽１３２１が開設され、前記容置槽１３２１と前記開口部１３１１が連通される。前記取付面１２には、前記容置槽１３２１と互いに連通する収容部１４が設置されている。前記収容部１４はほぼ半円錐形を呈す凹槽であり、且つ前記第一端壁１３２から離れている一端は円弧形を呈す。
【００１２】
前記電池２０を前記収容凹部１３内に収容してから前記電池蓋で遮蔽する。前記電池２０は、前記収容凹部１３の底壁１３１に当接する当接面２１及び前記収容凹部１３の第二端壁１３３に当接する当接端部２３を有し、前記当接面２１の前記当接端部２３に近接する一端には、三つの矩形の凹槽２５が間隔を空けて設置されている。前記凹槽２５の一端が前記当接端部２３の表面に貫通される。前記凹槽２５の対向する２つの側壁に金属弾性パッド等の電気コネクター２５１が装着されている。
【００１３】
前記回路基板３０は、前記機体１０の第二表面１９とマッチングする矩形のパレットであって、前記第二表面１９と組み合わされて前記機体１０に装着される。前記回路基板３０における前記機体１０の第二表面１９に向かう表面には、連結塊３１が前記開口１３１７に対応するように設置されている。前記連結塊３１は、棒状の基体３１１及び前記基体３１１上に間隔を空けて突設されている複数の電源供給端子３１３を備える。前記電源供給端子３１３は、略方形のパッドであり、そのサイズ、数及び間隔距離を前記凹槽２５に基づいて調整できる。
【００１４】
前記第二表面１９における前記開口部１３１１の前記第一端壁１３２から離れている両端には、それぞれヒンジ部１３１３が設置されている。前記２つのヒンジ部１３１３は、皆円柱体であり、その中には、それぞれ軸穴１３１５が開設されている。前記２つのヒンジ部１３１３の２つの軸穴１３１５は、同軸に設置される。前記第二表面１９における前記開口部１３１１の前記第一端壁１３２に近い片側には、突出部１３２３が設置されている。前記突出部１３２３は、矩形の塊であり、その一端が前記第一端壁１３２と同じ表面に位置し、他端が前記開口部１３１１に向けて延在している。
【００１５】
前記ヒンジ軸４１は、棒状の円柱体であり、長さが前記両ヒンジ部１３１３の間の距離より少し長く、直径が前記ヒンジ部１３１３の軸穴１３１５とマッチングして、前記軸穴１３１５の中に収容されて設置される。
【００１６】
図３を参照すると、前記キャリアアセンブリ４３は、矩形の金属板をＬ字状に折り曲げたものであって、キャリア部４３１及び操作部４３３を備える。前記キャリア部４３１は、略矩形のパレットであり、前記開口部１３１１に対応する形状やサイズを有し、前記開口部１３１１に収容されて設置されることができる。前記キャリア部４３１の前記操作部４３３から離れている末端が折り曲げられて、前記ヒンジ軸４１を収納できるヒンジ穴４３１３を有する連結軸４３１１を形成する。前記連結軸４３１１は前記２つのヒンジ部１３１３の間に置かれる。前記ヒンジ軸４１を前記ヒンジ部１３１３の軸穴１３１５及び前記連結軸４３１１の軸穴４３１３に収容して設置して、前記キャリアアセンブリ４３が前記機体１０の収容凹部１３から脱落しないようにする。
【００１７】
前記操作部４３３は、略矩形のパレットであり、前記容置槽１３２１に対応する形状やサイズを有し、前記容置槽１３２１に収容され設置される。前記操作部４３３の前記キャリア部４３１から離れている末端が折り曲げられて柱状体の作動部４３３が形成される。前記作動部４３３１は、前記収容部１４に収容され設置され、且つ前記収容部１４の底部と一定の距離ほど離れているため、ユーザーは前記収容部１４内で前記作動部４３３１を便利に作動させることができる。
【００１８】
図４を参照すると、前記電池収容装置１００を組み立てる時、まず、前記キャリア部４３１を前記開口部１３１１の中の前記突出部１３２３に当接してから、前記連結軸４３１１の軸穴４３１３と前記２つのヒンジ部１３１３の軸穴１３１５とが対応するように前記キャリア部４３１の連結軸４３１１を前記２つのヒンジ部１３１３の間に置く。次に、前記ヒンジ軸４１を前記軸穴１３１５、４３１３に挿入して、前記キャリアアセンブリ４３を前記機体１０に装着すると、前記キャリア部４３１は前記底壁１３１と平行になり、前記操作部４３３は前記容置槽１３２１に収容され、前記操作部４３３の作動部４３３１は前記収容部１４に収容される。従って、前記作動部４３３１に外力を印加すると、前記キャリアアセンブリ４３は、前記ヒンジ軸４１を旋回軸として、前記収容凹部１３に近づくか又は前記収容凹部１３から離れる方向へ動かすことができる。続いて、前記回路基板３０を前記機体１０の第二表面１９に装着すると、前記連結塊３１の前記電源供給端子３１３が前記第一開口１３１７及び前記第二開口１３３１を貫いて、前記収容凹部１３へ突出される。最後に、前記電池２０を前記機体１０の収容凹部１３に取り付けると、前記電池２０の当接面２１が前記底壁１３１及び前記キャリア部４３１に当接され、前記当接端部２３が前記第二端壁１３３に当接され、前記電池２０の前記当接端部２３に対向する他端が前記第一端壁１３２及び前記操作部４３３に当接され、前記連結塊３１の前記電源供給端子３１３が前記凹槽２５に挿入されて前記電気コネクター２５１との間に挟まれて電気接続を実現する。
【００１９】
前記電池２０を取り換える場合、前記収容部１４が提供する空間で前記作動部４３３１に力を加えると、前記作動部４３３１は前記収容部１４から離れる方向へ動き、前記操作部４３３及び前記キャリア部４３１は、前記作動部４３３１に連動して前記ヒンジ軸４１を旋回軸として前記収容凹部１３から離れる方向へ動き、前記キャリア部４３１に当接していた前記電池２０の一端も前記収容凹部１３から離れる方向へ動いて、前記電池２０を前記収容凹部１３から移出する。このように前記電池２０を取り換えることが容易である。
【００２０】
また、前記キャリア部４３の操作部４３３は弧形のパレットでもよく、前記操作部４３３の中部がやや突出して凸部を形成し、前記電池２０を前記凸部に当接させることにより、前記電池２０を前記収容凹部１３にさらに安定に固定できる。
【００２１】
また、前記開口部１３１１は凹字形でもよい。従って、前記開口部１３１１の前記第一端壁１３２に近接する一端に凸部が形成され、前記キャリアアセンブリ４３のキャリア部４３１と当接される。よって、前記第二表面１９に前記突起部１３２３を設置する必要がない。
【００２２】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００２３】
１００    電池収容装置
２００    携帯式電子装置
１０      機体
１１      第一表面
１２      取付面
１３      収容凹部
１４      収容部
１９      第二表面
２０      電池
２１      当接面
２３      当接端部
２５      凹槽
３０      回路基板
３１      連結塊
４１      ヒンジ軸
４３      キャリアアセンブリ
１３１    底壁
１３２    第一端壁
１３３    第二端壁
２５１    電源供給端子
３１１    基体
３１３    電源供給端子
４３１    キャリア部
４３３    操作部
１３１１  開口部
１３１３  ヒンジ部
１３１５，４３１３  軸穴
１３１７  第一開口
１３２１  容置槽
１３２３  突出部
１３３１  第二開口
４３１１  連結軸
４３３１  作動部
【図１】
2011034950.tif 000003
【図２】
2011034950.tif 000004
【図４】
2011034950.tif 000005
【図３】
2011034950.tif 000006